(57)【要約】【課題】通信手段を有する装着体を機器本体に装着することによって通信機能を付加することができる構成である場合に、機器本体のコストを低減することができると共に、商用の交流電源からの電力供給が絶たれた場合であっても、通信手段が送受信するデータ、及び計時手段が計時する時刻が消失することがない電気機器を提供する。【解決手段】画像形成装置の本体部１にファクシミリ機能を有するオプション基板５０を装着可能とし、オプション基板５０に計時手段６６、画像メモリ６７及び二次電池６８を設け、本体部１に一次電池４０を設ける。一次電池４０により計時手段６６へ電力供給を行い、二次電池６８により画像メモリ６７へ電力供給を行う。【選択図】図１
2007318529.tif 000002
【特許請求の範囲】
【請求項１】
機器本体と、該機器本体に着脱可能に装着され、他の機器との間でデータの送受信を行う通信手段を有する装着体とを備える電気機器において、
前記通信手段が送受信するデータを記憶するメモリと、
該メモリに電力を供給する電力供給手段と
を備え、
前記メモリ及び前記電力供給手段が、前記装着体に配設してあること
を特徴とする電気機器。
【請求項２】
前記メモリは、前記通信手段が行う通信処理に係るデータのみを記憶する通信専用メモリである請求項１に記載の電気機器。
【請求項３】
前記電力供給手段は、二次電池である請求項１又は請求項２に記載の電気機器。
【請求項４】
前記通信手段の通信に係る時刻の計時を行う計時手段を備え、
該計時手段が前記装着体に配設してある請求項１乃至請求項３のいずれか１つに記載の電気機器。
【請求項５】
前記計時手段へ電力を供給する一次電池を備え、
該一次電池が前記機器本体に配設してある請求項４に記載の電気機器。
【請求項６】
前記計時手段へ電力を供給する一次電池を備え、
該一次電池が前記装着体に配設してある請求項４に記載の電気機器。
【請求項７】
前記電力供給手段が、前記計時手段へ電力を供給するようにしてある請求項４に記載の電気機器。
【請求項８】
前記機器本体に複数の前記装着体を装着することが可能にしてあり、
複数の前記装着体が前記機器本体に装着された場合に、一の装着体に配設された前記計時手段が計時した時刻を、他の装着体に配設された前記通信手段の通信に係る時刻とするようにしてある請求項４乃至請求項７のいずれか１つに記載の電気機器。
【請求項９】
前記装着体に配設された通信手段は、モデムにより通信を行うようにしてある請求項１乃至請求項８のいずれか１つに記載の電気機器。
【請求項１０】
前記装着体に配設された通信手段は、ＬＡＮ（Ｌｏｃａｌ  Ａｒｅａ  Ｎｅｔｗｏｒｋ）を介して通信を行うようにしてある請求項１乃至請求項９のいずれか１つに記載の電気機器。
【発明の詳細な説明】
【技術分野】
【０００１】
本発明は、追加基板などの機器本体に着脱可能な装着体を装着することによって、通信機能を備えることができる電気機器に関する。
【背景技術】
【０００２】
従来から、コピー機能、スキャナ機能、プリンタ機能及びファクシミリ機能等の複数の機能を備える電気機器、所謂複合機が普及している。これらの複合機は１つの機器に複数の機能が備えられているため、コピー機器、スキャナ機器、プリンタ機器及びファクシミリ機器をそれぞれ別に設ける場合と比較して、コストを削減できると共に、機器の設置スペースが少なくてよいという利点がある。しかし、ユーザは必ずしも全ての機能を必要とするわけではないため、例えばファクシミリ機能を必要としないユーザにとっては、ファクシミリ機能を備える複合機がコスト高になる虞がある。このため、近年では、複合機の本体にオプションの基板を着脱することによって、機能の追加又は削除を行うことができる複合機が実用化されている。
【０００３】
図６は、従来の電気機器の構成を示すブロック図であり、オプションの基板を着脱することによってファクシミリ機能の追加又は削除を行うことができる構成を例に図示してある。図において１０１は従来の電気機器の本体部であり、本体部１０１にコピー機能、スキャナ機能及びプリンタ機能を備え、ファクシミリ機能を有するオプション基板１５０を本体部１０１に装着することによって、ファクシミリ機能が使用可能となるようにしてある。
【０００４】
本体部１０１は、演算処理及び各部の制御処理等を行うＣＰＵ１０と、ＣＰＵ１０にて実行されるプログラムが記憶されたフラッシュメモリ１１と、ユーザに対するメッセージなどを表示する表示パネル１２と、ユーザからの操作を受け付ける操作部１３と、ユーザが設定した設定値を記憶するためのＳＲＡＭ１４と、オプション基板１５０を接続するためのＩ／Ｆ（インタフェース）部１１５と、ファクシミリ通信に係る送信時刻及び受信時刻等を計時するための計時手段１４２とを備えており、これらがシステムバス３１を介して接続されている。また、本体部１０１には、原稿を読み取る読取部１８と、記録用紙にデータの記録を行う記録部２５とを備え、これらがイメージバス３２を介して接続されている。読取部１８及び記録部２５は内部にそれぞれデータの符号化及び復号化を行うＣＯＤＥＣ（図示せず）を有しており、読取部１８は読み取ったデータを符号化し、記録部２５は与えられたデータを複合化して記録することができるようにしてある。システムバス３１及びイメージバス３２の間のデータの授受は画像メモリ１７を介して行うようにしてあり、このデータの授受をシステムコントローラ１６が制御するようにしてある。
【０００５】
オプション基板１５０は、ＰＳＴＮ（Ｐｕｂｌｉｃ  Ｓｗｉｔｃｈｅｄ  Ｔｅｌｅｐｈｏｎｅ  Ｎｅｔｗｏｒｋ、公衆電話回線網）を介して他のファクシミリ機能を備える機器との間で通信を行うためのモデム６３及びＮＣＵ（Ｎｅｔｗｏｒｋ  Ｃｏｎｔｒｏｌ  Ｕｎｉｔ）６４と、送受信するデータの符号化及び復号化を行うＣＯＤＥＣ６２と、本体部１０１のＩ／Ｆ部１１５に接続するためのＩ／Ｆ部１６５とを備えており、これらがバス６９を介して接続されている。
【０００６】
電気機器のファクシミリ機能では、例えば読取部１８にて原稿を読み取って内部のＣＯＤＥＣにより符号化し、得られた画像データを画像メモリ１７に一時的に蓄え、蓄えた画像データをオプション基板１５０へ転送し、必要に応じてＣＯＤＥＣ６２にて符号変換を行った後、モデム６３及びＮＣＵ６４によりＰＳＴＮを介して他の機器へデータの送信を行うようにしてある。また、他の機器からＰＳＴＮを介して受信されたデータは、ＣＯＤＥＣ６２にて符号の誤りの有無を調べられ、本体部１０１へ転送して一時的に画像メモリ１７に蓄えられ、記録部２５内のＣＯＤＥＣにて復号された後に記録用紙に記録されるようにしてある。このとき、送受信を行った相手先、送受信を完了した時刻、送受信したデータの量及び送受信に要した時間等が通信ログとして記録され、ユーザが送受信の履歴を調べることができるようにしてある。なお、送受信を完了した時刻及び送受信に要した時間は、計時手段１４２にて計時される時刻を取得して、通信ログとして記録するようにしてある。
【０００７】
また、本体部１０１の各部及びオプション基板１５０の各部は、図示は省略するが商用交流電源から供給される電力により動作するようにしてある。しかし、計時手段１４２が計時する時刻と、ＳＲＡＭ１４に記憶された設定値と、画像メモリ１７に記憶された送受信データとは、商用交流電源からの電力供給が絶たれた場合、例えば電源スイッチをオフにされた場合又は停電により電力供給が絶たれた場合等であっても、データを保持する必要があるため、本体部１０１はバックアップ電源として一次電池１４０及び二次電池１４１を備えており、一次電池１４０の電力を計時手段１４２及びＳＲＡＭ１４へ供給し、二次電池１４１の電力を画像メモリ１７へ供給するようにしてある。なお、本図においては、電力の供給を破線の矢印にて図示してある。
【０００８】
以上の構成とすることにより、ユーザがファクシミリ機能を必要としない場合には、本体部１０１にオプション基板１５０が装着されていない構成の電気機器を購入すればよいため、コストの低減を実現できると共に、ファクシミリ機能を使用する必要が生じた場合には、オプション基板１５０を本体部１０１に装着するのみで機能を追加できるため、電気機器の利便性を向上することができるという利点がある。
【０００９】
一方、特許文献１においては、複数の無線回線に対して通信を行うことができるインフラインタフェース部と、このインフラインタフェース部より送受信した情報を記憶するメモリ部と、記憶された情報を表示する表示部とを備えることにより、ユーザが複数の送受信状態を混同することなくリアルタイムで認識することが可能なＰＣカード無線モデムが提案されている。
【００１０】
また、特許文献２においては、電話回線が使用可能な場合に時報サービスに電話をかけ、時報を検出してコンピュータの内蔵時計の時刻を修正する構成とすることにより、設置場所の制約を受けずに効率的にコンピュータの内蔵時計の時刻を修正することができるコンピュータ内蔵時計自動修正装置が提案されている。
【特許文献１】特開平８−６５３５７号公報
【特許文献２】特開平９−３０４５６３号公報
【発明の開示】
【発明が解決しようとする課題】
【００１１】
図６に示した従来の電気機器では、本体部１０１に配設された計時手段１４２は、ファクシミリ通信を行う場合にのみ使用されるものであるため、オプション基板１５０を装着しない場合には必要なく、また、画像メモリ１７に二次電池１４１からの電力を供給するのはファクシミリ通信による送受信データを保持するためであり、オプション基板１５０を装着しない場合には必要ない。よって、オプション基板１５０を装着しない場合に、計時手段１４２及び二次電池１４１により、電気機器のコストの低減が妨げられるという問題がある。
【００１２】
また、特許文献１に記載のＰＣ無線カードモデムは、一次電池又は二次電池等の電力供給手段を有していないため、ＰＣ（パーソナルコンピュータ）からの電力供給が必要であり、これが絶たれた場合にはメモリ部に記憶された情報が消滅する虞がある。特許文献２に記載のコンピュータ内蔵時計自動修正装置は、内蔵の時計の時刻を自動的に修正するため、内蔵の時計がバックアップ用の電源を必ずしも備える必要はないが、時刻の修正を行うために時報サービスへ電話をかける必要があるため、通信コストが増大するという問題がある。
【００１３】
本発明は、斯かる事情に鑑みてなされたものであって、その目的とするところは、機器本体と、通信手段を有する装着体とを備えて、装着体を機器本体に装着することで通信機能を付加することができる場合に、通信手段により送受信されるデータを記憶するためのメモリと、このメモリへの電力供給手段とを装着体に設ける構成とすることにより、機器本体のコストを低減することができる電気機器を提供することにある。
【００１４】
また本発明の他の目的とするところは、装着体に設けるメモリを通信処理のみに用いられる通信専用メモリとすることにより、装着体を外した場合に機器本体の処理に影響を与えることがない電気機器を提供することにある。
【００１５】
また本発明の他の目的とするところは、装着体に設けられるメモリへ二次電池により電力を供給する構成とすることにより、機器本体からの電力供給の有無に関わらず、通信手段による送受信データを確実に記憶することができる電気機器を提供することにある。
【００１６】
また本発明の他の目的とするところは、通信手段による通信に係る時刻の計時を行う計時手段を装着体に配設する構成とすることにより、機器本体のコストを低減することができる電気機器を提供することにある。
【００１７】
また本発明の他の目的とするところは、機器本体に配設された一次電池から、装着体に配設された計時手段へ電力を供給する構成とすることにより、機器本体に備えられた一次電池を利用して電力供給を行い、装着体のコストを低減することができる電気機器を提供することにある。
【００１８】
また本発明の他の目的とするところは、計時手段に電力を供給する一次電池を装着体に配設する構成とすることにより、機器本体からの電力供給の有無に関わらず、通信に係る時刻の計時を確実に行うことができる電気機器を提供することにある。
【００１９】
また本発明の他の目的とするところは、装着体に配設されたメモリへの電力を供給する電力供給手段が、計時手段へ電力を供給する構成とすることにより、機器本体からの電力供給の有無に関わらず、通信に係る時刻の計時を確実に行うことができ、装着体のコストを低減することができる電気機器を提供することにある。
【００２０】
また本発明の他の目的とするところは、機器本体に複数の装着体を装着可能とし、一の装着体に配設された計時手段が計時する時刻を、他の装着体に配設された通信手段の通信に係る時刻として通信処理を行う構成とすることにより、計時手段が設けられた装着体を複数装着する場合であっても、各装着体の通信手段による通信処理毎に時刻の誤差が生じることがない電気機器を提供することにある。
【００２１】
また本発明の他の目的とするところは、モデムによる通信を行う機能を装着体に搭載する構成とすることにより、機器本体にファクシミリ通信の機能を付加することができる電気機器を提供することにある。
【００２２】
また本発明の他の目的とするところは、ＬＡＮを介して通信を行う機能を装着体に搭載する構成とすることにより、ＬＡＮに接続されたＰＣなどからのデータを受信して記録用紙に記録する機能、又は読み取った原稿の画像データをＰＣなどへ送信する機能等を付加することができる電気機器を提供することにある。
【課題を解決するための手段】
【００２３】
第１発明に係る電気機器は、機器本体と、該機器本体に着脱可能に装着され、他の機器との間でデータの送受信を行う通信手段を有する装着体とを備える電気機器において、前記通信手段が送受信するデータを記憶するメモリと、該メモリに電力を供給する電力供給手段とを備え、前記メモリ及び前記電力供給手段が、前記装着体に配設してあることを特徴とする。
【００２４】
本発明においては、機器本体に通信手段を有する装着体を装着することによって、機器本体に通信機能を付加する構成とする。このときに、通信手段により送受信されるデータを記憶するメモリと、メモリへ電力を供給する電力供給手段とを装着体に設ける。これにより、機器本体に電力供給手段を設ける必要がなくなり、機器本体のコストを低減可能となる。
【００２５】
また、第２発明に係る電気機器は、前記メモリが、前記通信手段が行う通信処理に係るデータのみを記憶する通信専用メモリであることを特徴とする。
【００２６】
本発明においては、装着体に設けるメモリを通信処理のみに用いられる通信専用メモリとする。通信機能を有する装着体を機器本体から外した場合には、通信機能を備えない機器本体は通信専用メモリを利用することがない。よって、機器本体に通信専用メモリは必要なく、これを機器本体に搭載しないことによって、機器本体のコストが低減される。
【００２７】
また、第３発明に係る電気機器は、前記電力供給手段が、二次電池であることを特徴とする。
【００２８】
本発明においては、装着体に二次電池を設けてメモリへの電力の供給を行う。機器本体からの電力供給が絶たれた場合であっても、メモリに記憶された送受信のデータが確実に保持できる。また、二次電池を用いることにより、電流消費の多いメモリであっても長期間にわたって電力供給を確実に行うことができる。
【００２９】
また、第４発明に係る電気機器は、前記通信手段の通信に係る時刻の計時を行う計時手段を備え、該計時手段が前記装着体に配設してあることを特徴とする。
【００３０】
本発明においては、通信手段による通信に係る時刻の計時を行う計時手段を装着体に配設する。機器本体に計時手段を設ける必要がなくなり、機器本体のコストを低減可能となる。
【００３１】
また、第５発明に係る電気機器は、前記計時手段へ電力を供給する一次電池を備え、該一次電池が前記機器本体に配設してあることを特徴とする。
【００３２】
本発明においては、機器本体に配設された一次電池から、装着体に配設された計時手段へ電力を供給する。機器本体には、設定値を記憶するためのメモリに電力を供給するための一次電池が設けてある場合が多く、この一次電池を共用して計時手段への電力供給を行うことによって、計時手段のための一次電池を装着体に設ける必要がなく、装着体のコストを低減可能となる。
【００３３】
また、第６発明に係る電気機器は、前記計時手段へ電力を供給する一次電池を備え、該一次電池が前記装着体に配設してあることを特徴とする。
【００３４】
本発明においては、計時手段へ電力を供給する一次電池を装着体に配設する。これにより装着体を機器本体から外した場合であっても、計時手段が計時する時刻を確実に保持することが可能となる。
【００３５】
また、第７発明に係る電気機器は、前記電力供給手段が、前記計時手段へ電力を供給するようにしてあることを特徴とする。
【００３６】
本発明においては、装着体に配設されたメモリへの電力を供給する電力供給手段により、計時手段への電力供給を行う。これにより、メモリ及び計時手段への電力供給を同じ電力供給手段で行うことができるため、装着体のコストを低減可能となる。
【００３７】
また、第８発明に係る電気機器は、前記機器本体に複数の前記装着体を装着することが可能にしてあり、複数の前記装着体が前記機器本体に装着された場合に、一の装着体に配設された前記計時手段が計時した時刻を、他の装着体に配設された前記通信手段の通信に係る時刻とするようにしてあることを特徴とする。
【００３８】
本発明においては、機器本体に複数の装着体を装着可能な構成とする。複数の装着体を機器本体に装着したときに、各装着体に計時手段が設けられ、各計時手段毎に誤差が生じる場合には、各装着体の通信手段による通信処理に時刻の誤差が生じる虞があるため、いずれか一つの装着体に設けられた計時手段のみを用いて計時を行う構成とし、時刻の誤差が生じることを防止する。
【００３９】
また、第９発明に係る電気機器は、前記装着体に配設された通信手段が、モデムにより通信を行うようにしてあることを特徴とする。
【００４０】
本発明においては、モデムによる通信を行う機能を装着体に搭載する。これにより、機器本体に装着体を装着することによって、電気機器にファクシミリ機能を付加することができるようになる。
【００４１】
また、第１０発明に係る電気機器は、前記装着体に配設された通信手段が、ＬＡＮを介して通信を行うようにしてあることを特徴とする。
【００４２】
本発明においては、ＬＡＮを介して通信を行う機能を装着体に搭載する。これにより、機器本体に装着体を装着することによって、ＬＡＮに接続されたＰＣなどの機器との間でデータの送受信を行う機能を電気機器に付加することができる。
【発明の効果】
【００４３】
第１発明による場合は、機器本体と通信手段を有する装着体とを備えて、装着体を機器本体に装着することで通信機能を付加することができる場合に、通信手段により送受信されるデータを記憶するためのメモリと、このメモリへの電力供給手段とを装着体に設ける構成とすることにより、機器本体にメモリへの電力供給手段を設ける必要がなくなるため、機器本体のコストを低減することができ、通信機能を必要としないユーザに対して電気機器を安価に提供することができる。
【００４４】
また、第２発明による場合は、装着体に設けるメモリを通信処理のみに用いられる通信専用メモリとすることにより、機器本体に通信専用メモリは必要なく、これを機器本体に搭載しないことによって、機器本体のコストが低減されるため、通信機能を必要としないユーザに対して電気機器を安価に提供することができる。
【００４５】
また、第３発明による場合は、装着体に設けられるメモリへ二次電池により電力を供給する構成とすることにより、機器本体からの電力供給が絶たれた場合であっても、メモリに記憶された送受信データが確実に保持でき、また、電流消費の多いメモリであっても長期間にわたって電力供給を確実に行うことができるため、停電などにより送受信データが消失することがなく電気機器の信頼性を向上することができる。
【００４６】
また、第４発明による場合は、通信手段による通信に係る時刻の計時を行う計時手段を装着体に配設する構成とすることにより、機器本体に計時手段を設ける必要がなくなり、機器本体のコストが低減可能となるため、通信機能を必要としないユーザに対して電気機器を安価に提供することができる。
【００４７】
また、第５発明による場合は、機器本体に配設された一次電池から、装着体に配設された計時手段へ電力を供給する構成とすることにより、例えば機器本体に設定値を記憶するためのメモリに電力を供給する一次電池が備えられている場合に、この一次電池を共用して計時手段への電力供給を行うことによって、計時手段のための一次電池を装着体に設ける必要がないため、装着体のコストを低減することができ、通信機能を必要とするユーザに対して電気機器を安価に提供することができる。
【００４８】
また、第６発明による場合は、計時手段に電力を供給する一次電池を装着体に配設する構成とすることにより、装着体を機器本体から外した場合であっても、計時手段が計時する時刻を確実に保持することができるため、計時手段による計時の信頼性を向上することができ、電気機器の信頼性を向上することができる。
【００４９】
また、第７発明による場合は、装着体に配設されたメモリへの電力を供給する電力供給手段が、計時手段へ電力を供給する構成とすることにより、メモリ及び計時手段への電力供給を同じ電力供給手段で行うことができるため、装着体のコストを低減することができ、通信機能を必要とするユーザに対して電気機器を安価に提供することができる。
【００５０】
また、第８発明による場合は、機器本体に複数の装着体を装着可能とし、一の装着体に配設された計時手段が計時する時刻を、他の装着体に配設された通信手段の通信に係る時刻として通信処理を行う構成とすることにより、計時手段が設けられた装着体を複数装着する場合であっても、各装着体の通信手段による通信毎に時刻の誤差が生じることを防止できるため、電気機器の信頼性を向上することができる。
【００５１】
また、第９発明による場合は、モデムによる通信を行う機能を装着体に搭載する構成とすることにより、機器本体に装着体を装着することによって、電気機器にファクシミリ機能を付加することができるようになるため、電気機器の利便性を向上することができる。
【００５２】
また、第１０発明による場合は、ＬＡＮを介して通信を行う機能を装着体に搭載する構成とすることにより、機器本体に装着体を装着することによって、ＬＡＮに接続されたＰＣなどの機器との間でデータの送受信を行う機能を付加することができ、電気機器の利便性を向上することができる。
【発明を実施するための最良の形態】
【００５３】
（実施の形態１）
以下、本発明をその実施の形態を示す図面に基づき具体的に説明する。なお、本実施の形態においては、電気機器としてプリンタ機能、スキャナ機能及びコピー機能等を備えた画像形成装置を例に説明を行う。図１は、本発明の実施の形態１に係る画像形成装置の構成を示すブロック図である。図において１は画像形成装置の本体部であり、本体部１は、原稿の読み取りを行う読取部１８及び記録用紙に画像データの記録を行う記録部２５を備え、読取部１８及び記録部２５によるコピー機能及びプリンタ機能等をユーザが利用することができるようにしてある。また、本体部１にはモデム６３が搭載されたオプション基板５０を装着することができ、オプション基板５０を装着することによって、画像形成装置にファクシミリ機能を付与することができるようにしてある。
【００５４】
本体部１は、演算処理及び各部の制御処理等を行うＣＰＵ１０と、ＣＰＵ１０にて実行されるプログラムが記憶されたフラッシュメモリ１１と、ユーザに対するメッセージなどを表示する表示パネル１２と、ユーザからの操作を受け付けるボタン又はスイッチ等が配された操作部１３と、ユーザが設定した設定値などを記憶するＳＲＡＭ１４と、オプション基板５０を接続するためのＩ／Ｆ部１５とを備えており、これらがシステムバス３１を介して接続されている。また、本体部１の読取部１８及び記録部２５はイメージバス３２を介して接続され、システムバス３１及びイメージバス３２の間のデータの授受は、ＤＲＡＭなどの大容量のメモリ素子により構成される画像メモリ１７を介して行うようにしてあり、このデータの授受をシステムコントローラ１６が制御するようにしてある。
【００５５】
読取部１８は、光の強弱を電荷の強弱として取得することにより原稿の読み取りを行うＣＣＤ（Ｃｈａｒｇｅ  Ｃｏｕｐｌｅｄ  Ｄｅｖｉｃｅ）１９を有しており、ＣＣＤ１９にて読み取った原稿に応じて取得される電荷の強弱を、ＡＦＥ（Ａｎａｌｏｇ  Ｆｒｏｎｔ  Ｅｎｄ）２０によりデジタルの画像データに変換し、画像処理部２１にて補正を行った後に、メモリコントローラ２２を介してページメモリ２３に蓄積するようにしてある。ページメモリ２３に蓄積された画像データは、メモリコントローラ２２を介してＣＯＤＥＣ２４へ与えられ、ＣＯＤＥＣ２４にて符号化されて、画像メモリ１７に一時的に記憶されるようにしてある。
【００５６】
記録部２５は、画像メモリ１７に記憶された画像データを読み出し、ＣＯＤＥＣ２６にて符号化された画像データの復号を行い、復号した画像データをメモリコントローラ２７を介してページメモリ２８に蓄積するようにしてある。ページメモリ２８に蓄積された画像データは、メモリコントローラ２７を介してプリンタコントローラ２９に与えられ、プリンタコントローラ２９は与えられた画像データに応じてプリンタ３０を駆動制御し、記録用紙への記録を行うようにしてある。
【００５７】
なお、画像形成装置のコピー機能は、読取部１８が読み取った原稿の画像データを記録部２５にて記録用紙に記録する構成とすることで実現される。また、プリンタ機能は、画像形成装置が図示しないＰＣとの通信手段を有している場合に、通信手段を介してＰＣから与えられたデータを記録部２５にて記録用紙に記録する構成とすることで実現される。また、スキャナ機能は、読取部１８にて読み取った原稿の画像データを通信手段を介してＰＣへ与える構成とすることにより実現される。
【００５８】
オプション基板５０は、本体部１のＩ／Ｆ部１５に接続されるＩ／Ｆ部６５を備えており、Ｉ／Ｆ部１５及びＩ／Ｆ部６５の接続によって、本体部１及びオプション基板５０の間でデータの授受を行うことができるようにしてある。また、Ｉ／Ｆ部６５はバス６９に接続されており、バス６９には、ＣＰＵ６０、フラッシュメモリ６１、ＣＯＤＥＣ６２、モデム６３、ＮＣＵ６４、計時手段６６及び画像メモリ６７等が接続されており、相互にデータの授受を行うことができるようにしてある。
【００５９】
ＣＰＵ６０は、オプション基板５０に設けられた各部の制御及び各種の演算等を行うものであり、フラッシュメモリ６１に予め記憶された制御プログラムに従って処理を行うようにしてある。ＣＰＵ６０は、オプション基板５０の各部を制御することにより、画像形成装置のファクシミリ通信に係る処理を行うようにしてあり、これにより本体部１のＣＰＵ１０はファクシミリ通信に係る処理を行う必要がない。
【００６０】
モデム６３及びＮＣＵ６４は、バス６９を介さずにデータの授受を直接行うことができるようにしてある。ＮＣＵ６４は、ＰＳＴＮとの回線の閉結及び開放の動作を行うハードウェアであり、ＰＳＴＮとモデム６３とのインタフェース回路を有している。これにより、オプション基板５０を装着された画像形成装置は、ＰＳＴＮを介して他のファクシミリ機能を有する装置と接続され、ファクシミリ通信を行うことができるようにしてある。
【００６１】
ファクシミリ通信により他の装置から受信した画像データは、ＣＯＤＥＣ６２にて符号の誤りの有無を調べられ、画像メモリ６７へ蓄えられるようにしてある。その後、画像メモリ６７に蓄えられた画像データは、本体部１の画像メモリ１７に転送され、記録部２５のＣＯＤＥＣ２６にて復号されて、プリンタ３０にて記録用紙に記録されるようにしてある。他の装置へ送信を行う場合には、本体部１の読取部１８にて読み取った原稿に係る画像データを、本体部１の画像メモリ１７からオプション基板５０の画像メモリ６７へ転送し、通信先の装置の能力などに応じて必要な場合にはＣＯＤＥＣ６２にて符号変換を行い、モデム６３及びＮＣＵ６４によりＰＳＴＮを介して他の装置へデータの送信を行うようにしてある。
【００６２】
計時手段６６は、例えば水晶振動子などの一定周期の信号を発する回路部品を備えて、現在の時刻の計時を行うものであり、所謂タイマである。画像形成装置がファクシミリ通信を行う場合には、データの送受信を行った相手先、送受信を完了した時刻、送受信したデータの量及び送受信に要した時間等を通信ログとして記憶するようにしてある。計時手段６６は、通信ログとして送受信を完了した時刻を記憶する場合、及び送受信に要した時間を記憶する場合に用いられる。なお、通信ログは、オプション基板５０の画像メモリ６７又はフラッシュメモリ６１の一領域に記憶してもよく、本体部１のフラッシュメモリ１１又はＳＲＡＭ１４に記憶してもよい。また、オプション基板５０又は本体部１が図示しない他の記憶素子を有している場合には、他の記憶素子に通信ログを記憶してもよい。
【００６３】
また、図示は省略するが、本体部１は商用交流電源に接続される電源コードを備えており、本体部１及びオプション基板５０の各部は、商用交流電源から供給される電力により動作するようにしてある。ただし、商用交流電源からの電力供給が絶たれた場合のバックアップ電源として、本体部１には一次電池４０が備えられ、オプション基板５０には二次電池６８が備えられている。
【００６４】
一次電池４０は、例えばアルカリ電池又はリチウム電池等の電池であり、商用交流電源からの電力供給が絶たれた場合に、本体部１のＳＲＡＭ１４と、オプション基板５０の計時手段６６とに電力を供給するようにしてある。なお、本体部１のＩ／Ｆ部１５及びオプション基板５０のＩ／Ｆ部６５の接続により、一次電池４０から計時手段６６への電力の供給経路が形成されるようにしてあり、一次電池４０から計時手段６６への電力の供給はこの供給経路により行うようにしてある。
【００６５】
一次電池４０からＳＲＡＭ１４へ電力を供給することによって、例えば電源スイッチをオフにされた場合又は停電により電力供給が絶たれた場合等であっても、ＳＲＡＭ１４に記憶された各種の設定が消去されることを防止できる。同様に、一次電池４０から計時手段６６へ電力を供給することによって、計時手段６６が計時する時刻が初期化されることを防止できる。これにより、電力供給が絶たれた場合に、ユーザが各種の設定と時刻設定とを再度行う必要がない。
【００６６】
二次電池６８は、例えばニッケル・カドミウム電池又はリチウム・イオン電池等の電池であり、商用交流電源から電力が供給されている場合に充電され、商用交流電源からの電力供給が絶たれた場合には、オプション基板５０の画像メモリ６７へ電力を供給するようにしてある。二次電池６８から画像メモリ６７へ電力を供給することによって、例えば電源スイッチをオフにされた場合又は停電により電力供給が絶たれた場合等であっても、画像メモリ６７に記憶された送信用の画像データ又は受信した画像データが消去されることを防止できる。これにより、例えば原稿の読み取りを終え、ファクシミリ通信によりデータの送信を行っている途中で電力供給が絶たれた場合であっても、電力供給の復帰後に、データの送信を再開することができるため、原稿の読み取りを再度行う必要がない。また、ファクシミリ通信によるデータの受信を完了した後、記録部で記録するための記録用紙が不足し、処理が中断している際に電力供給が絶たれた場合であっても、電力供給の復帰後に受信したデータの記録を行うことができる。なお、本図においては、一次電池４０及び二次電池６８による電力の供給を破線の矢印にて図示してある。
【００６７】
以上の構成の画像形成装置においては、図６に示した従来の構成と比較して、計時手段６６及び二次電池６８が本体部１に配設されず、オプション基板５０に配設されているため、本体部１のコストを低減することができ、ファクシミリ機能を必要としないユーザに画像形成装置を安価で提供することができるという利点がある。
【００６８】
なお、本実施の形態においては、本体部１に一次電池４０を備える構成としたが、これに限るものではなく、本体部１に二次電池を備えて、ＳＲＡＭ１４及び計時手段６６へ電力を供給する構成としてもよい。同様に、オプション基板５０に二次電池６８を備える構成としたが、これに限るものではなく、オプション基板５０に一次電池を備えて、画像メモリ６７へ電力を供給する構成としてもよい。また、画像形成装置がコピー機能、プリンタ機能及びスキャナ機能を全て備える必要はなく、これらの機能の１つ又はいくつかを備える構成であってもよい。
【００６９】
（変形例）
図２は、本発明の実施の形態１の変形例に係る画像形成装置の構成を示すブロック図である。変形例に係る画像形成装置のオプション基板５０ａは、ファクシミリ通信の機能を備えるものではなく、これに代えてＬＡＮに接続する機能を備えている。オプション基板５０ａにはＬＡＮインタフェース７０が設けられており、ＬＡＮインタフェース７０はＬＡＮケーブルを接続するためのコネクタを有し、コネクタに接続されたＬＡＮケーブルを介してＬＡＮに接続し、同じＬＡＮに接続された複数のＰＣとの間でデータの送受信を行うことができるようにしてある。
【００７０】
オプション基板５０ａに設けられた通信メモリ６７ａは、ＬＡＮを介して送受信されるデータを記憶するためのメモリであり、商用交流電源からの電力供給が絶たれた場合に、二次電池６８から通信メモリ６７ａへ電力供給を行うようにしてある。また、オプション基板５０ａに設けられた計時手段６６には、商用交流電源からの電力供給が絶たれた場合に、本体部１に備えられた一次電池４０から電力供給が行われるようにしてある。
【００７１】
以上のように、画像形成装置の本体部１に装着するオプション基板はファクシミリ機能を有するもののみでなく、その他の機能を有するオプション基板を装着する構成としてもよい。この場合、オプション基板に計時手段が搭載されている場合には、本体部１の一次電池４０から電力供給を行い、データを記憶するメモリが搭載されている場合には、オプション基板に二次電池６８を搭載して、二次電池６８からメモリへ電力供給を行う構成とすればよい。
【００７２】
（実施の形態２）
図３は、本発明の実施の形態２に係る画像形成装置の構成を示すブロック図である。なお、本図では、読取部１８及び記録部２５は簡略化して図示してある。実施の形態２に係る画像形成装置の本体部２０１に設けられた一次電池４０は、ＳＲＡＭ１４へ電力を供給するようにしてあり、ＳＲＡＭ１４のバックアップ電源をなしている。また、オプション基板２５０には、一次電池２７０及び二次電池６８が設けられ、一次電池２７０が計時手段６６へ電力を供給し、二次電池６８が画像メモリ６７へ電力を供給するようにしてある。よって、一次電池２７０が計時手段６６のバックアップ電源をなし、二次電池６８が画像メモリ６７のバックアップ電源をなしている。
【００７３】
以上の構成の実施の形態２に係る画像形成装置においては、実施の形態１に係る画像形成装置と比較して、オプション基板２５０に計時手段６６へ電力を供給するための一次電池２７０が搭載されているため、本体部２０１からオプション基板を外した場合であっても、計時手段６６が計時する時刻が初期化されることがないという利点がある。
【００７４】
なお、実施の形態２に係る画像形成装置のその他の構成は、実施の形態１に係る画像形成装置の構成と同様であるため、対応する箇所には同じ符号を付して詳細な説明を省略する。
【００７５】
（実施の形態３）
図４は、本発明の実施の形態３に係る画像形成装置の構成を示すブロック図である。実施の形態３に係る画像形成装置の本体部３０１に設けられた一次電池４０は、ＳＲＡＭ１４へ電力を供給するようにしてあり、ＳＲＡＭ１４のバックアップ電源をなしている。また、オプション基板３５０には二次電池６８が設けられ、二次電池６８が計時手段６６及び画像メモリ６７へ電力を供給するようにしてある。よって、二次電池６８が計時手段６６及び画像メモリ６７のバックアップ電源をなしている。
【００７６】
以上の構成の実施の形態３に係る画像形成装置においては、実施の形態２に係る画像形成装置と比較して、オプション基板３５０に設けられた二次電池６８が、計時手段６６及び画像メモリ６７の両方へ電力を供給するため、オプション基板３５０に計時手段６６のための一次電池が必要なく、オプション基板３５０のコストを低減できるという利点がある。なお、オプション基板３５０に二次電池６８を設けずに一次電池を設け、一次電池から計時手段６６及び画像メモリ６７へ電力供給を行う構成としてもよい。
【００７７】
なお、実施の形態３に係る画像形成装置のその他の構成は、実施の形態１に係る画像形成装置の構成と同様であるため、対応する箇所には同じ符号を付して詳細な説明を省略する。
【００７８】
（実施の形態４）
図５は、本発明の実施の形態４に係る画像形成装置の構成を示すブロック図である。実施の形態４に係る画像形成装置の本体部４０１にはオプション基板４５０を装着するための２つのＩ／Ｆ部４１５ａ及び４１５ｂが設けられ、本体部４０１に２つのオプション基板４５０を装着することができるようにしてある。これにより、画像形成装置が２つのファクシミリ通信を同時に行うことができる。
【００７９】
実施の形態４に係る画像形成装置のオプション基板４５０は、実施の形態１に係る画像形成装置のオプション基板５０と略同じ構成であるが、本体部４０１に２つのオプション基板４５０を装着した場合に、Ｉ／Ｆ部４１５ａ側に接続されたオプション基板４５０の計時手段６６が動作し、Ｉ／Ｆ部４１５ｂ側に接続されたオプション基板４５０の計時手段６６が動作しないようにしてある。Ｉ／Ｆ部４１５ｂ側に接続されたオプション基板４５０では、計時手段６６が計時する時刻を必要とする場合には、Ｉ／Ｆ部４１５ａ側に接続されたオプション基板４５０に設けられた計時手段６６が計時する時刻を取得するようにしてある。
【００８０】
また、本体部４０１に設けられた一次電池４０は、本体部１のＳＲＡＭ１４と、Ｉ／Ｆ部４１５ａ側に接続されたオプション基板４５０の計時手段６６とに電力を供給するようにしてあり、ＳＲＡＭ１４及び計時手段６６のバックアップ電源をなしている。また、オプション基板４５０には、二次電池６８がそれぞれ設けられ、各画像メモリ６７へ電力を供給するようにしてあり、二次電池６８が画像メモリ６７のバックアップ電源をなすようにしてある。
【００８１】
以上の構成の実施の形態４に係る画像形成装置においては、本体部４０１に２つのオプション基板４５０を装着することによって、２つのファクシミリ通信を同時に行うことができる。このときに、それぞれのオプション基板４５０が、それぞれに設けられた計時手段６６が計時する時刻を基に処理を行う場合には、２つの計時手段６６の間に誤差が生じ、例えば誤差が生じた時刻を基に通信ログの記録を行うこととなり、通信ログの信頼性が低下する虞がある。このため、Ｉ／Ｆ部４１５ｂ側に接続されたオプション基板４５０の計時手段６６を動作させず、Ｉ／Ｆ部４１５ａ側に接続されたオプション基板４５０の計時手段６６により計時する時刻のみを用いる構成とすることにより、上述の問題を解決している。
【００８２】
なお、本実施の形態においては、画像形成装置の本体部４０１に２つのオプション基板４５０を装着することができる構成としたが、これに限るものではなく、３つ以上のオプション基板を装着することができる構成としてもよい。この場合には、いずれか１つのオプション基板に設けられた計時手段のみを動作させ、その他のオプション基板に設けられた計時手段は動作させない構成とすればよい。
【００８３】
また、実施の形態４に係る画像形成装置のその他の構成は、実施の形態１に係る画像形成装置の構成と同様であるため、対応する箇所には同じ符号を付して詳細な説明を省略する。
【図面の簡単な説明】
【００８４】
【図１】本発明の実施の形態１に係る画像形成装置の構成を示すブロック図である。
【図２】本発明の実施の形態１の変形例に係る画像形成装置の構成を示すブロック図である。
【図３】本発明の実施の形態２に係る画像形成装置の構成を示すブロック図である。
【図４】本発明の実施の形態３に係る画像形成装置の構成を示すブロック図である。
【図５】本発明の実施の形態４に係る画像形成装置の構成を示すブロック図である。
【図６】従来の電気機器の構成を示すブロック図である。
【符号の説明】
【００８５】
１  本体部（機器本体）
１０  ＣＰＵ
１４  ＳＲＡＭ
１５  Ｉ／Ｆ部
１７  画像メモリ（メモリ、通信専用メモリ）
１８  読取部
２５  記録部
４０  一次電池
５０、５０ａ  オプション基板（装着体）
６０  ＣＰＵ
６３  モデム（通信手段）
６４  ＮＣＵ（通信手段）
６５  Ｉ／Ｆ部
６６  計時手段
６７  画像メモリ（メモリ、通信専用メモリ）
６７ａ  通信メモリ（メモリ、通信専用メモリ）
６８  二次電池（電力供給手段）
７０  ＬＡＮインタフェース（通信手段）
２０１  本体部（機器本体）
２５０  オプション基板（装着体）
２７０  一次電池
３０１  本体部（機器本体）
３５０  オプション基板（装着体）
４０１  本体部（機器本体）
４１５ａ、４１５ｂ  Ｉ／Ｆ部
４５０  オプション基板（装着体）
【図１】
2007318529.tif 000003
【図２】
2007318529.tif 000004
【図３】
2007318529.tif 000005
【図４】
2007318529.tif 000006
【図５】
2007318529.tif 000007
【図６】
2007318529.tif 000008